(57)【要約】【課題】  簡易な構成で、データ放送を伴うデジタルテレビジョン放送の受信処理操作についての利用者の利便性を向上させる。【解決手段】  操作入力ユニット１５０における特定キーの押下に対応して、記憶装置１２０のシーケンスリスト１２１におけるチャンネル対応シーケンスの登録内容に対応した操作シーケンスに従った処理を、受信処理制御部１１１が自動的に実行する。ここで、チャンネル対応シーケンスが、受信処理ユニット２２０における不確定な処理時間を要するとともに、不確定な処理時間を経過するまでは、継続して行うべき処理の有効な指令を受信処理ユニット２２０に対して発行することができない特定指令に対応する操作を含む場合には、受信処理制御部１１１は、当該特定指令に対応する受信処理の終了を確認しつつ、チャンネル対応シーケンスに含まれる操作に対応する処理指令を順次受信処理ユニット２２０へ発行する。【選択図】  図６
2008079080.tif 000002
【特許請求の範囲】
【請求項１】
データ放送を伴うデジタルテレビジョン放送の放送波を受信して処理する受信装置であって、
選択されたチャンネルである選択チャンネルの放送波について、前記選択チャンネルの放送波の処理を行う受信処理手段と；
操作入力がされる操作入力手段と；
前記受信処理手段における不確定な処理時間を要するとともに、前記不確定な処理時間を経過するまでは、継続して行うべき処理の有効な指令を前記受信処理手段に対して発行することができない少なくとも１つの特定指令に対応する操作を含む複数の操作のシーケンスである操作シーケンスを、前記操作入力手段における特定操作に関連付けて記憶する記憶手段と；
前記操作入力ユニットにおいて前記特定操作がされた場合に、前記特定指令に対応する受信処理の終了を確認しつつ、前記シーケンスに含まれる前記複数の操作に対応する処理指令を順次前記受信処理手段へ発行する受信処理制御手段と；を備えることを特徴とする受信装置。
【請求項２】
画像を表示する画像表示手段を更に備え、
前記特定指令には、前記選択チャンネルにおけるデータ放送に関連する情報の前記画像表示手段への表示指令が含まれる、ことを特徴とする請求項１に記載の受信装置。
【請求項３】
前記操作シーケンスには、選択チャンネル情報を指定した選局指令に対応する操作が含まれる、ことを特徴とする請求項１又は２に記載の受信装置。
【請求項４】
前記特定操作に対応して、前記選択チャンネル情報が互いに異なる複数の操作シーケンスが前記記憶装置に記憶される、ことを特徴とする請求項３に記載の受信装置。
【請求項５】
前記選択チャンネルの放送波に由来する画像を前記表示手段で表示中に、前記特定操作が前記操作入力手段においてされた場合に、前記受信処理制御手段は、前記特定操作に応答して、前記操作シーケンスに含まれる前記選局指令に関連する操作以外の操作に対応する指令を、指定された順序で前記受信処理手段へ発行する、ことを特徴とする請求項４に記載の受信装置。
【請求項６】
前記複数の操作シーケンスのそれぞれには、前記受信処理制御手段による選択の優先度が付与され、
前記選択チャンネルに該当する選択チャンネル情報を含む前記操作シーケンスが前記記憶装置に記憶されていないときには、前記受信処理制御手段は、前記優先度が最も高い操作シーケンスを選択する、ことを特徴とする請求項５に記載の受信装置。
【請求項７】
前記複数の操作シーケンスのそれぞれには、前記受信処理制御手段による選択の優先度が付与され、
前記選択チャンネルの放送波に由来する画像を前記表示手段において表示していない期間に前記特定指令が前記操作入力手段に入力された場合、前記受信処理制御手段は、前記優先度が最も高い操作シーケンスを選択し、選択された前記操作シーケンスに含まれる操作に対応する指令を、指定された順序で前記受信処理手段へ発行する、ことを特徴とする請求項５又は６に記載の受信装置。
【請求項８】
前記受信処理制御手段が作成した画像が前記表示手段に表示されている期間に、前記特定操作が前記操作入力手段においてされた場合には、前記受信処理制御手段は、前記特定操作に対応して選択された操作シーケンスに含まれる最後の操作に対応する処理の終了時点で、前記受信処理手段が作成した画像から前記終了時点における前記選択チャネルの放送波に由来する画像に切り換えさせる、ことを特徴とする請求項２〜７のいずれか一項に記載の受信装置。
【請求項９】
前記操作入力手段に入力された前記特定操作に対応する操作シーケンス登録指令に従って、前記操作シーケンスを前記記憶装置に記憶させる操作シーケンス登録手段を更に備える、ことを特徴とする請求項１〜８のいずれか一項に記載の受信装置。
【請求項１０】
前記操作シーケンス登録手段は、登録開始指令がされた時点における選局チャネルの情報を前記選択チャンネル情報として登録するとともに、前記登録開始指令から登録終了までの間に前記操作入力手段に入力された複数の操作を入力順に登録する、ことを特徴とする請求項９に記載の受信装置。
【請求項１１】
移動体に搭載される、ことを特徴とする請求項１〜１０のいずれか一項に記載の受信装置。
【請求項１２】
データ放送を伴うデジタルテレビジョン放送の放送波の受信処理を制御する受信制御方法であって、
操作入力手段における操作が、受信処理手段における不確定な処理時間を要するとともに、前記不確定な処理時間を経過するまでは、継続して行うべき処理の有効な指令を前記受信処理手段に対して発行することができない少なくとも１つの特定指令に対応する操作を含む複数の操作のシーケンスである操作シーケンスを指定しているか否かを判定する判定工程と；
前記判定工程における判定が肯定的であった場合に、前記特定指令に対応する受信処理の終了を確認しつつ、前記操作シーケンスに含まれる前記複数の操作に対応する処理指令を順次前記受信処理手段へ発行する受信処理制御工程と；を備える受信処理方法。
【請求項１３】
請求項１２に記載の受信処理方法を演算手段に実行させる、ことを特徴とする受信処理プログラム。
【請求項１４】
請求項１３に記載の受信処理プログラムが、演算手段により読み取り可能に記録された記録媒体。
【発明の詳細な説明】
【技術分野】
【０００１】
本発明は、受信装置、受信処理方法、受信処理プログラム、及び、当該受信処理プログラムが記録された記録媒体に関する。
【背景技術】
【０００２】
従来から、テレビジョン放送波を受信して、選局されたチャンネルの画像を表示するとともに、音声を出力する受信装置が広く普及している。こうした受信装置は、車両等の移動体にも搭載可能となっている。
【０００３】
ところで、近年におけるテレビジョン放送技術の進歩は著しく、地上デジタルテレビジョン放送等のデジタル化が進展し、上記の画像及び音声の放送に加えてデータ放送も行われるようになっている（特許文献１、２等参照）。かかるデータ放送により提供されるコンテンツとしては、ニュース、天気予報、交通情報等があり、利用者にとっては有益な情報が数多く含まれている。
【０００４】
こうしたデータ放送を利用するためには、まず、視聴中に所定の操作（地上デジタルテレビジョン放送の場合には、リモコンにおける「ｄ」キーの押下）をして、データ放送の初期画面を表示させる。そして、初期画面におけるガイダンスに従って、所望のコンテンツを選択するための操作を行うようになっている。なお、所望のコンテンツを最終的に選択するために、複数段階の画面表示と操作入力が必要となる場合には、コンテンツ選択のための各段階の画面表示が完了するたびに、その画面表示におけるガイダンスに沿った操作入力を行う。
【０００５】
【特許文献１】特開２００５−１９１９９８号公報
【特許文献２】特開２００５−３１１４３３号公報
【発明の開示】
【発明が解決しようとする課題】
【０００６】
上述した従来例の技術では、データ放送による情報を取得するには、リモコン装置によりデータ放送のコンテンツ選択画面の表示指令を行い、この表示指令に応答して当該コンテンツ選択画面が完全に表示された後でなければ、コンテンツ選択指令を有効に入力することができない。また、最終的なコンテンツ表示のために複数段階で選択指令が必要な場合には、各段階における表示画面が完全に表示されるまでは、有効な指令入力を行うことができない。
【０００７】
こうしたデータ放送画面の表示が完了するまでの時間は、受信装置周辺における当該データ放送の電波状態に依存し、不確定である。特に、受信装置が車両等の移動体に搭載されている場合には、電波状態が良好とはいえない状況がしばしば発生し、データ放送画面の表示が完了するまでの時間は、データ放送関連の画面の表示ごとに大きく変化する可能性がある。
【０００８】
このため、利用者はデータ放送関連画面の表示完了を常に意識する必要があるので、特に移動体に搭載された受信装置の利用者にとっては、データ放送によるコンテンツの表示は面倒さを伴うものになってしまっていた。このため、かかる面倒さを生じさせない技術が待望されていた。こうした要請を満たすことが、本発明が解決すべき課題の一つとして挙げられる。
【０００９】
本発明は、上記の事情を鑑みてなされたものであり、簡易な構成で利用者の利便性を向上することができる受信装置を提供することを目的とする。
【００１０】
また、本発明は、簡易な構成の受信装置により利用者の利便性を向上することができる受信処理制御方法を提供することを目的とする。
【課題を解決するための手段】
【００１１】
請求項１に記載の発明は、データ放送を伴うデジタルテレビジョン放送の放送波を受信して処理する受信装置であって、選択されたチャンネルである選択チャンネルの放送波について、前記選択チャンネルの放送波の処理を行う受信処理手段と；操作入力がされる操作入力手段と；前記受信処理手段における不確定な処理時間を要するとともに、前記不確定な処理時間を経過するまでは、継続して行うべき処理の有効な指令を前記受信処理手段に対して発行することができない少なくとも１つの特定指令に対応する操作を含む複数の操作のシーケンスである操作シーケンスを、前記操作入力手段における特定操作に関連付けて記憶する記憶手段と；前記操作入力ユニットにおいて前記特定操作がされた場合に、前記特定指令に対応する受信処理の終了を確認しつつ、前記シーケンスに含まれる前記複数の操作に対応する処理指令を順次前記受信処理手段へ発行する受信処理制御手段と；を備えることを特徴とする受信装置である。
【００１２】
請求項１２に記載の発明は、データ放送を伴うデジタルテレビジョン放送の放送波の受信処理を制御する受信制御方法であって、操作入力手段における操作が、受信処理手段における不確定な処理時間を要するとともに、前記不確定な処理時間を経過するまでは、継続して行うべき処理の有効な指令を前記受信処理手段に対して発行することができない少なくとも１つの特定指令に対応する操作を含む複数の操作のシーケンスである操作シーケンスを指定しているか否かを判定する判定工程と；前記判定工程における判定が肯定的であった場合に、前記特定指令に対応する受信処理の終了を確認しつつ、前記操作シーケンスに含まれる前記複数の操作に対応する処理指令を順次前記受信処理手段へ発行する受信処理制御工程と；を備える受信処理方法である。
【００１３】
請求項１３に記載の発明は、請求項１０に記載の受信処理方法を演算手段に実行させる、ことを特徴とする受信処理プログラムである。
【００１４】
請求項１４に記載の発明は、請求項１１に記載の受信処理プログラムが、演算手段により読み取り可能に記録された記録媒体である。
【発明を実施するための最良の形態】
【００１５】
以下、本発明の一実施形態を、図１〜図１２を参照しつつ説明する。なお、本実施形態においては、車両に搭載された地上デジタルテレビジョン放送の放送波の受信処理機能を有する装置を例示して説明する。また、同一の又は同等の要素には同一の符号を付し、重複する説明を省略する。
【００１６】
[構成]
図１には、本実施形態に係る装置１００の構成がブロック図にて示されている。図１に示されるように、この装置１００は、制御ユニット１１０と、記憶手段としての記憶装置１２０とを備えている。また、装置１００は、音出力ユニット１３０と、画像表示手段としての表示ユニット１４０と、操作入力手段としての操作入力ユニット１５０とを備えている。さらに、装置１００は、アンテナ２１０と、受信処理手段としての受信処理ユニット２２０と、切換ユニット２３０とを備えている。
【００１７】
制御ユニット１１０は、装置１００の全体を制御しつつ、様々な処理を行う。この制御ユニット１１０については、後述する。
【００１８】
記憶装置１２０は、フラッシュＲＯＭ（Read Only Memory）素子等の書込可能な不揮発性記憶素子を備えて構成される。この記憶装置１２０の書込可能な不揮発性領域には、登録された操作シーケンスのリストであるシーケンスリスト１２１が記憶されている。なお、制御ユニット１１０は、記憶装置１２０の記憶領域にアクセス可能であり、当該記憶領域からのデータを読み取りや、書込可能領域への書込みができるようになっている。
【００１９】
シーケンスリスト１２１には、図２に示されるように、操作入力ユニット１５０における所定の特定キー（ショートカット定義キー）Ｋ1，Ｋ2…ごとに対応する操作シーケンスであるキー対応シーケンス１２２1，キー対応シーケンス１２２2、…が登録できるようになっている。ここで、キー対応シーケンス１２２k（ｋ＝１，２，…）のそれぞれは、図３に示されるように、Ｋkキーが押下された場合における放送チャンネルＪk1に対応する操作シーケンスであるチャンネル対応シーケンス１２３k1，放送チャンネルＪk2に対応する操作シーケンスであるチャンネル対応シーケンス１２３k2，…を含むことができるようになっている。すなわち、シーケンスリスト１２１には、特定キーの種類と放送チャンネルの種類との組合せごとに、当該組合せに対応する操作シーケンスを登録することができるようになっている。
【００２０】
なお、チャンネル対応シーケンス１２３kj（ｊ＝１，２…）のいくつかは、装置１００の工場出荷時に予め登録しておくこともできるが、本実施形態では、装置１００の工場出荷後に、利用者が操作入力ユニット１５０を操作して、全てのチャンネル対応シーケンス１２３k2を登録するようになっている。
【００２１】
チャンネル対応シーケンス１２３kjには、図４に示されるように、優先度情報と、選択チャンネル情報とが含まれている。また、チャンネル対応シーケンス１２３kjには、第１操作キー，第２操作キー，…，最終操作キーの情報が含まれている。
【００２２】
選択優先度情報は、Ｋkキーが押下されたときにテレビジョン放送を視聴中でなかった場合に、どのチャンネル対応シーケンス１２３kjを優先的に選択するかを示す情報である。なお、本実施形態では、操作入力ユニット１５０を操作することにより、チャンネル対応シーケンス１２３kjにおける優先度情報を変更できるようになっている。なお、本実施形態では、チャンネル対応シーケンス１２３kjのいずれか１つにおける優先度情報が有意となるようになっている。
【００２３】
選択チャンネル情報は、放送チャンネルＪkjを特定する情報である。Ｋkキーが押下されたときにチャンネルＪkjの放送を視聴中でなかった場合には、チャンネル対応シーケンス１２３kjの実行において、まず、当該選択チャンネル情報に従って、チャンネルＪkjの選局操作が行われることになる。
【００２４】
第１操作キー，第２操作キー，…，最終操作キーの情報は、チャンネルＪkjが選局されている状態で、順次実行すべき操作に対応する操作キーの情報である。なお、かかる操作キーの情報の数は任意である、
【００２５】
図１に戻り、音出力ユニット１３０は、（ｉ）切換ユニット２３０から受信したデジタル音声データをアナログ信号に変換するＤＡ変換器（Digital to Analog Converter）と、（ii）当該ＤＡ変換器から出力されたアナログ信号を増幅する増幅器と、（iii）増幅されたアナログ信号を音声に変換するスピーカとを備えて構成されている。この音出力ユニット１３０は、制御ユニット１１０による制御のもとで、操作案内用音声、テレビ音声等を出力する。
【００２６】
表示ユニット１４０は、（ｉ）液晶表示パネル、有機ＥＬ（Electro Luminescence）パネル、ＰＤＰ（Plasma Display Panel）等の表示デバイスと、（ii）切換ユニット２３０から受信したデジタル画像データに従って、当該表示デバイスに画像を表示させる表示制御回路とを備えている。この表示ユニット１４０は、制御ユニット１１０による制御のもとで、操作案内画像、テレビ画像等を表示する。
【００２７】
操作入力ユニット１５０は、装置１００の本体部に設けられたキー部、あるいはキー部を備えるリモート入力装置等により構成される。ここで、本体部に設けられたキー部としては、表示ユニット１４０に設けられたタッチパネルを用いることができる。
操作入力ユニット１５０への操作入力結果は、制御ユニット１１０へ送られる。
【００２８】
受信処理ユニット２２０は、アンテナ２１０から出力された信号の処理を行う。この受信処理ユニット２２０は、図５に示されるように、チューナ／復調部２２１と、ＴＳデコーダ２２２と、オーディオデコーダ２２３と、映像デコーダ２２４と、提示処理部２２５とを備えている。
【００２９】
チューナ／復調部２２１におけるチューナ機能部は、制御ユニット１１０から供給されたデジタル形式の選局信号に従って、アンテナ２１０で受信した放送波の信号からの選局すべきチャンネルの信号を中間周波数帯の信号に変換する。本実施形態では、中間周波数帯の信号への変換方法として、局部発振器を用いたスーパーヘテロダイン法が採用されている。
【００３０】
チューナ／復調部２２１における復調機能部は、チューナ機能部から出力された中間周波信号の復調処理を行う。復調結果は、ＭＰＥＧ２−ＴＳ形式で出力される。
【００３１】
ＴＳデコーダ２２２は、チューナ／復調部２２１から出力された信号が有する情報を、音声情報、映像情報及びデータ放送情報に分解する。そして、ＴＳデコーダ２２２は、音声情報をオーディオデコーダ２２３へ向けて出力するとともに、映像情報を映像デコーダ２２４へ向けて出力する。また、ＴＳデコーダ２２２は、データ放送情報を提示処理部２２５及び制御ユニットへ向けて出力する。
【００３２】
オーディオデコーダ２２３は、ＴＳデコーダ２２２からの音声情報に基づいて音声複合化を行い、デジタル音声信号として切換ユニット２３０へ向けて出力する。また、映像デコーダ２２４は、ＴＳデコーダ２２２からの映像情報に基づいて映像複合化を行い、デジタル映像信号として提示処理部２２５へ向けて出力する。
【００３３】
提示処理部２２５は、制御ユニット１１０からの画像作成指令に従い、映像デコーダ２２４からのデジタル映像データと、ＴＳデコーダ２２２からのデータ放送情報とに基づいて、表示ユニット１４０の表示デバイスに表示させるべきデジタル画像データを生成する。こうして作成されたデジタル画像データは、切換ユニット２３０へ向けて出力される。
【００３４】
なお、提示処理部２２５は、制御ユニット１１０から表示すべき画像データを受けた場合には、映像デコーダ２２４からのデジタル映像データと、ＴＳデコーダ２２２からのデータ放送情報とに基づく画像に、制御ユニット１１０から指定された画像を重畳させたデジタル画像データを生成するようになっている。また、提示処理部２２５は、データ放送情報を含むデジタル画像データの作成が完了すると、その旨を制御ユニット１１０へ広告するようになっている。
【００３５】
切換ユニット２３０は、制御ユニット１１０からのデジタル音声信号及びデジタル画像信号と、受信処理ユニット２２０からのデジタル音声信号及びデジタル画像信号とのいずれかを選択して、音出力ユニット１３０及び表示ユニット１４０へ向けて出力する。なお、切換ユニット２３０は、いずれのデジタル音声信号及びデジタル画像信号を選択して出力するかは、制御ユニット１１０からの切換指令に従うようになっている。
【００３６】
上述した制御ユニット１１０は、図６に示されるように、受信処理制御手段としての受信処理制御部１１１と、シーケンス登録手段としてのシーケンス登録部１１２とを備えている。
【００３７】
受信処理制御部１１１は、操作入力ユニット１５０に入力された受信処理の制御指令に従って、受信処理ユニット２２０における受信処理を制御する。例えば、操作入力ユニット１５０に選択チャンネルの指定を伴う選局指令が入力された報告を受けると、受信処理制御部１１１は、指定された選択チャンネルに対応する選局信号を受信処理ユニット２２０へ送る。また、操作入力ユニット１５０にデータ放送画像の表示指令が入力された報告を受けると、受信処理制御部１１１は、データ放送画像の表示指令を受信処理ユニット２２０へ送る。また、操作入力ユニット１５０にデータ放送画像において列挙されたメニュー項目の１つの選択指令が入力された報告を受けると、受信処理制御部１１１は、選択されたメニュー項目に対応する画像の表示指令を受信処理ユニット２２０へ送る。
【００３８】
さらに、操作入力ユニット１５０における特定キーＫ1，Ｋ2…の１つが押下された報告を受けると、受信処理制御部１１１は、記憶装置１２０におけるシーケンスリスト１２１における登録内容に対応した操作シーケンスに従って、受信処理ユニット２２０へ順次指令を送る。なお、当該操作シーケンス中に、受信処理ユニット２２０による処理が不確定な処理時間を要するとともに、当該不確定な処理時間を経過するまでは、継続して行うべき処理の有効な指令を受信処理ユニット２２０に対して発行することができない特定指令（例えば、データ放送画像の表示指令）が含まれる場合には、受信処理制御部１１１は、当該特定指令に対応する受信処理ユニット２２０の処理の終了を待って、次の指令を受信処理ユニット２２０へ送るようになっている。
【００３９】
シーケンス登録部１１２は、操作入力ユニット１５０に入力された指令に従って、複数の操作の操作順が指定された操作シーケンスを記憶装置１２０のシーケンスリスト１２１に登録する。なお、シーケンス登録部１１２は、上述した優先度情報及び選択チャンネル情報を併せて、シーケンスリスト１２１に登録する。
【００４０】
［動作］
次に、以上のように構成された装置１００の動作について、操作シーケンスの登録処理、及び、登録シーケンスを参照して行われる操作シーケンスの処理に主に着目して説明する。
【００４１】
＜操作シーケンスの登録処理＞
まず、登録の対象となり得る操作シーケンスの例を説明する。この例では、図７（Ａ）に示されるように、選択チャンネルの映像が表示ユニット１４０の画面全域に表示されているときに、操作入力ユニット１５０において、地上デジタルテレビジョン放送用のリモコンにおけるキー「ｄ」に相当するキーの押下操作がなされると、図７（Ｂ）に示されるように、選択チャンネルの映像は画面の左上側に縮小表示されるとともに、データ放送に関連するコンテンツ選択用の情報であるキーの種類とコンテンツの種類との対応関係を示す画像がその他の画面領域に表示されるコンテンツ選択画面となる。なお、このコンテンツ選択画像が完全に表示されるまでは、コンテンツの選択指令の操作を行っても、有効な指令として受け付けられないようになっている。
【００４２】
図７（Ｂ）のコンテンツ選択画面の表示完了後、例えば、天気予報のコンテンツを選択するためのキー「Ｐ２」の押下操作が操作入力ユニット１５０においてなされると、図７（Ｃ）に示されるように、コンテンツ選択画像に代えて、天気予報画像及び当該天気予報画像の加工メニューの画像が表示された天気予報画面が表示された天気予報画面となる。以上のような、キー「ｄ」の押下操作及びその後のキー「Ｐ２」の押下操作という操作シーケンスが登録の対象となる。
【００４３】
次に、操作シーケンスの登録処理の詳細について説明する。この操作シーケンスの登録処理では、図８に示されるように、まず、ステップＳ１１において、シーケンス登録部１１２が、操作入力ユニット１５０から。特定キーＫkを指定した操作シーケンスの登録開始指令が入力されたことが報告された否かを判定する。この判定の結果が否定的であった場合（ステップＳ１１：Ｎ）には、シーケンス登録部１１２は、ステップＳ１１の処理を繰り返す。
【００４４】
ステップＳ１１におけるの結果が肯定的であった場合（ステップＳ１１：Ｙ）には、処理はステップＳ１２へ進む。ステップＳ１２では、シーケンス登録部１１２が、現在視聴中のチャンネル（チャンネルＪkj）を登録用の選択チャンネルに決定する。そして、シーケンス登録部１１２は、提示処理部２２５を介して、キー操作入力待ちである旨を表示ユニット１４０に表示させる。
【００４５】
なお、ステップＳ１２においては、いずれのチャンネルも視聴中でなかった場合には、シーケンス登録部１１２が、登録を希望する操作シーケンスに対応するチャンネルの視聴を開始した上で、操作シーケンスの登録を行うべき旨を表示ユニット１４０に表示し、操作シーケンスの登録処理を終了する（処理がステップＳ１１へ戻る）。
【００４６】
次に、ステップＳ１３において、シーケンス登録部１１２は、提示処理部２２５を介して、キー操作入力待ちである旨を表示ユニット１４０に表示させる。そして、シーケンス登録部１１２は、操作入力ユニット１５０からキー入力がされたことが報告された否かを判定する。この判定の結果が否定的であった場合（ステップＳ１３：Ｎ）には、シーケンス登録部１１２は、ステップＳ１３の処理を繰り返す。
【００４７】
ステップＳ１３における判定の結果が肯定的であった場合（ステップＳ１３：Ｙ）には、処理はステップＳ１４へ進む。このステップＳ１４では、シーケンス登録部１１２が、キー入力に際して押下されたキーが登録終了キーであるか否かを判定する。
【００４８】
ステップＳ１４における判定の結果が否定的であった場合（ステップＳ１４：Ｎ）には、処理はステップＳ１７へ進む。このステップＳ１７では、シーケンス登録部１１２が、それまでのキー入力操作に伴って作成されているチャンネル対応シーケンス候補に新たなキー入力操作を付加することによりチャンネル対応シーケンス候補を更新する。この後、処理はステップＳ１３へ戻る。
【００４９】
一方、ステップＳ１４における判定の結果が肯定的であった場合（ステップＳ１４：Ｙ）には、処理はステップＳ１５へ進む。このステップＳ１５では、シーケンス登録部１１２が、今回登録するチャンネル対応シーケンス１２３kjにおける優先度情報を有意とするか否かの問合せ表示を、提示処理部２２５を介して、表示ユニット１４０に表示させる。この問合せに対する応答が肯定的であったことが操作入力ユニット１５０から報告された場合には、その時点のチャンネル対応シーケンス候補における優先度情報を有意に設定して、登録されるべきチャンネル対応シーケンス１２３kjとする。一方、当該問合せに対する応答が否定的であったことが操作入力ユニット１５０から報告された場合には、その時点のチャンネル対応シーケンス候補における優先度情報を非有意に設定して、登録されるべきチャンネル対応シーケンス１２３kjとする。
【００５０】
次に、ステップＳ１６において、シーケンス登録部１１２が、新たに作成されたチャンネル対応シーケンス１２３kjを記憶装置１２０内のシーケンスリスト１２１に登録する。かかる登録に際し、シーケンス登録部１１２は、シーケンスリスト１２１内に同一特定キー及び同一選択チャンネルのチャンネル対応シーケンス１２３kjが既に登録されている場合には、新たに作成されたチャンネル対応シーケンス１２３kjを上書きする。また、新たに作成されたチャンネル対応シーケンス１２３kjにおける優先度情報が有意である場合には、同一特定キーに対応する他のチャンネル対応シーケンスの優先度情報を非有意に設定する。
【００５１】
こうして、新たに作成されたチャンネル対応シーケンス１２３kjのシーケンスリスト１２１への登録が終了すると、操作シーケンスの登録処理を終了する。
【００５２】
＜操作シーケンスの処理＞
次に、上記のように登録された操作シーケンスの処理について説明する。この操作シーケンスの処理では、図９に示されるように、まず、ステップＳ２１において、受信処理制御部１１１が、操作入力ユニット１５０から。特定キーＫ1，Ｋ2，…のいずれかが押下されたことが報告された否かを判定する。この判定の結果が否定的であった場合（ステップＳ２１：Ｎ）には、受信処理制御部１１１は、ステップＳ２１の処理を繰り返す。
【００５３】
特定キーＫjが押下されたことによりステップＳ２１におけるの結果が肯定的であった場合（ステップＳ２１：Ｙ）には、処理はステップＳ２２へ進む。ステップＳ２２では、受信処理制御部１１１が、記憶装置１２０内のシーケンスリスト１２１内に特定キーＫjに対応するキー対応シーケンス１２２kが存在するか否かを判定する。
【００５４】
ステップＳ２２における判定の結果が否定的であった場合（ステップＳ２２：Ｎ）には、処理はステップＳ２６へ進む。このステップＳ２６では、特定キーＫkに対応するシーケンスが登録されていない旨のエラーメッセージを、提示処理部２２５を介して、表示ユニット１４０に表示させる。そして、特定キーＫkが押下されたことによる操作シーケンスの処理が終了する（すなわち、処理がステップＳ２１へ戻る）。
【００５５】
ステップＳ２２における判定の結果が肯定的であった場合（ステップＳ２２：Ｙ）には、処理はステップＳ２３へ進む。このステップＳ２３では、受信処理制御部１１１が、視聴中の処理を行う。
【００５６】
ステップＳ２３における判定の結果が肯定的であった場合（ステップＳ２３：Ｙ）には、処理はステップＳ２４へ進む。このステップＳ２４では視聴中のシーケンス処理が行われる。
【００５７】
かかる視聴中のシーケンス処理では、図１０に示されるように、まず、ステップＳ３１において、受信処理制御部１１１が、視聴チャンネル（チャンネルＪkjであるものとする）に対応するチャンネル対応シーケンス１２３kjがシーケンスリスト１２１内に登録されているか否かを判定する。この判定の結果が肯定的であった場合（ステップＳ３１：Ｙ）には、処理はステップ３２へ進む。
【００５８】
ステップＳ３２では、まず、受信処理制御部１１１が、記憶装置１２０からチャンネル対応シーケンス１２３kjの内容を読み出す。そして、受信処理制御部１１１は、チャンネル対応シーケンス１２３kj内の第１操作キーに対応する処理に始まって、最終操作キーに対応する処理までを行う。かかる処理の内に、受信処理ユニット２２０への指令の発行が必要なものがある場合には、受信処理制御部１１１は、当該指令を受信処理ユニット２２０へ発行する。
【００５９】
ここで、受信処理ユニット２２０への有効な指令発行が、以前における受信処理ユニット２２０への発行指令に対応する受信処理ユニット２２０の処理の完了後でなければできない場合には、当該以前の指令に対応する受信処理が完了したことが受信処理ユニット２２０から報告された時点で、受信処理制御部１１１は、新たな指令を受信処理ユニット２２０へ送る。こうした処理完了を待つべき受信処理としては、データ放送関連画面の表示処理がある。
【００６０】
以上の受信処理制御部１１１によるシーケンス操作の処理により、例えば、図７（Ａ）の表示から、図７（Ｂ）の表示を経由した図７（Ｃ）の表示までが、操作入力ユニット１５０における特定キーＫkの押下のみに対応して自動的に行われる。この後、ステップＳ２４の処理が終了することにより、特定キーＫkが押下されたことによる操作シーケンスの処理が終了する（図９参照）。
【００６１】
ステップＳ３１における判定の結果が否定的であった場合（ステップＳ３１：Ｎ）には、処理はステップＳ３３へ進む。このステップＳ３３では、シーケンスリスト１２１に登録されているチャンネル対応シーケンス１２３k1，チャンネル対応シーケンス１２３k2，…における優先度情報を考慮したシーケンス処理が行われる。
【００６２】
かかる優先度情報を考慮したシーケンス処理では、まず、受信処理制御部１１１が優先度情報が有意に設定されたチャンネル対応シーケンス１２３kpが存在するか否かを判定する。この判定の結果が肯定的であった場合には、受信処理制御部１１１は、チャンネル対応シーケンス１２３kpを処理対象シーケンスに決定する。一方、当該判定の否定的であった場合には、受信処理制御部１１１は、チャンネル対応シーケンス１２３k1を処理対象シーケンスに決定する。
【００６３】
引き続き、受信処理制御部１１１は、処理対象シーケンスの内容を読み出す。そして、処理対象シーケンスにおける選択チャンネル情報に従って、受信処理制御部１１１は、選局指令を受信処理ユニット２２０へ発行する。この結果、処理対象シーケンスにおける選択チャンネル情報に対応するチャンネルの視聴が開始される。この後、上記のステップＳ３２と同様の処理が行われる。こうしてステップＳ２４の処理が終了することにより、特定キーＫkが押下されたことによる操作シーケンスの処理が終了する（図９参照）。
【００６４】
ステップＳ２３における判定の結果が否定的であった場合（ステップＳ２３：Ｎ）には、処理はステップＳ２５へ進む。なお、ステップＳ２３における判定の結果が否定的であった場合には、制御ユニット１１０が作成した画像が表示ユニット１４０に表示されている（図１２（Ａ）参照）。
【００６５】
ステップＳ２５では視聴中以外のシーケンス処理が行われる。かかる視聴中以外のシーケンス処理では、図１１に示されるように、まず、表示ユニット１４０における制御ユニット１１０が作成した画像の表示を継続しつつ、受信処理制御部１１１が、上述のステップＳ３１と同様のステップＳ４１の処理が行われる。このステップＳ４１の処理により、特定キーＫkに対応する処理対象シーケンス処理が終了すると、ステップＳ４２において、受信処理制御部１１１が、切換ユニット２３０を制御して、表示ユニット１４０に表示される画像を、処理対象シーケンス処理により作成された画像に切り換える。この結果、例えば、図１２（Ａ）に示される画像から、図１２（Ｂ）に示される画像に、表示ユニット１４０に表示される画像が切り換わる。
【００６６】
こうしてステップＳ２５の処理が終了することにより、特定キーＫkが押下されたことによる操作シーケンスの処理が終了する（図９参照）。
【００６７】
以上説明したように、本実施形態では、データ放送を伴うデジタルテレビジョン放送の放送波の受信処理に際して、操作入力ユニット１５０における特定キーＫ1，Ｋ2，…の押下操作に対応して、記憶装置１２０のシーケンスリスト１２１におけるチャンネル対応シーケンス１２３kjの登録内容に対応した操作シーケンスに従った処理を、受信処理制御部１１１が自動的に実行する。ここで、チャンネル対応シーケンス１２３kjが、受信処理ユニット２２０における不確定な処理時間を要するとともに、不確定な処理時間を経過するまでは、継続して行うべき処理の有効な指令を受信処理ユニット２２０に対して発行することができない特定指令に対応する操作を含む場合には、受信処理制御部１１１は、当該特定指令に対応する受信処理の終了を確認しつつ、チャンネル対応シーケンス１２３kjに含まれる複数の操作に対応する処理指令を順次受信処理ユニット２２０へ発行する。このため、簡易な構成の装置１００により、データ放送関連の情報の提示等に際して、利用者の利便性を向上することができる。
【００６８】
また、本実施形態では、特定キーＫ1，Ｋ2，…の押下操作に対応して、視聴中のチャンネル、優先度情報等を考慮して、合理的なチャンネル対応シーケンスを選択する。このため、利用者の利便性を更に向上することができる。
【００６９】
また、本実施形態では、操作入力ユニット１５０からの登録操作によりチャンネル対応シーケンスを登録することができる。このため、利用者は、所望のチャンネル対応シーケンスをシーケンスリスト１２１に新たに登録することができる。
【００７０】
［実施形態の変形］
本発明は、上記の実施形態に限定されるものではなく、様々な変形が可能である。
【００７１】
例えば、上記の実施形態では、チャンネル対応シーケンスとして２回のキー操作を例示したが、チャンネル対応シーケンスごとに登録できるキー操作の数はいくつであってもよい。
【００７２】
また、上記の実施形態の説明では、装置１００が有する放送波の受信処理機能以外の機能については、特に例示を行わなかったが、受信処理機能以外の機能として、ナビゲーション機能等の任意の機能を有するようにすることができる。
【００７３】
また、上記の実施形態では、操作入力ユニット１５０がキーを有することを要件とし、チャンネル対応シーケンスにはキー操作が登録されることにしたが、音声入力に操作を登録するようにすることもできる。
【００７４】
また、上記の実施形態では、本発明を車両に搭載される車載装置に適用したが、例えば、航空機や船舶に搭載される装置に本発明を適用することもできる。また、例えば、携帯電話装置等にも、本発明を適用することができる。さらに、移動体に搭載されない受信装置にも、本発明を適用することもできる。
【００７５】
なお、上記の実施形態における制御ユニット１１０を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理を行うようにしてもよい。これらのプログラムはハードディスク、ＣＤ−ＲＯＭ、ＤＶＤ等のコンピュータで読み取り可能な記録媒体に記録され、当該コンピュータによって記録媒体から読み出されて実行される。また、これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００７６】
【図１】本発明の一実施形態に係る装置の構成を概略的に示すブロック図である。
【図２】図１のシーケンスリストの内容を説明するための図である。
【図３】図２のキーＫkシーケンスの内容を説明するための図である。
【図４】図３のチャンネルＪkjシーケンスの内容を説明するための図である。
【図５】図１の受信処理ユニットの構成を示すブロック図である。
【図６】図１の制御ユニットの構成を示すブロック図である。
【図７】登録の対象となる操作シーケンスの例を説明するための図である。
【図８】図１の装置による操作シーケンスの登録処理を説明するためのフローチャートである。
【図９】図１の装置による登録シーケンスを参照して行われるシーケンス処理を説明するためのフローチャートである。
【図１０】図９の視聴中の処理を説明するためのフローチャートである。
【図１１】図９の視聴中以外の処理を説明するためのフローチャートである。
【図１２】図１の処理における表示画像の切り換えの例を説明するための図である。
【符号の説明】
【００７７】
１００  …  装置（受信装置）
１１１  …  受信処理制御部（受信処理制御手段）
１１２  …  シーケンス登録部（シーケンス登録手段）
１２０  …  記憶装置（記憶手段）
１４０  …  表示ユニット（画像表示手段）
１５０  …  操作入力ユニット（操作入力手段）
２２０  …  受信処理ユニット（受信処理手段）
【図１】
2008079080.tif 000003
【図２】
2008079080.tif 000004
【図３】
2008079080.tif 000005
【図４】
2008079080.tif 000006
【図５】
2008079080.tif 000007
【図６】
2008079080.tif 000008
【図７】
2008079080.tif 000009
【図８】
2008079080.tif 000010
【図９】
2008079080.tif 000011
【図１０】
2008079080.tif 000012
【図１１】
2008079080.tif 000013
【図１２】
2008079080.tif 000014